(57)【特許請求の範囲】
【請求項１】
泡調節剤がオレフィン性不飽和アルコールを含有することを特徴とする、シリコーン消泡剤を含有する洗剤組成物に添加するための泡調節剤。
【請求項２】
前記オレフィン性不飽和アルコールが式：Ｒ−ＯＨ（式中、Ｒは１０〜２２の炭素原子を有するアルケニル基を示す）を有する請求項１記載の泡調節剤。
【請求項３】
前記オレフィン性不飽和アルコールがオレイルアルコールである請求項２記載の泡調節剤。
【請求項４】
前記シリコーン消泡剤が液状のトリメチルシロキシ末端ブロックポリジメチルシロキサンを含有する請求項１〜３のいずれか１項記載の泡調節剤。
【請求項５】
前記シリコーン消泡剤が、式：Ｘ−Ｐｈ（式中、Ｘは炭素原子を介して珪素と結合した２価の脂肪族有機基を示し、Ｐｈは芳香族基を示す）の少なくとも１つの珪素結合置換基を有するオルガノポリシロキサン物質を含む請求項１〜３のいずれか１項記載の泡調節剤。
【請求項６】
前記オレフィン性不飽和アルコールと前記シリコーン消泡剤との重量割合が１００：１〜５：１である請求項１〜５のいずれか１項記載の泡調節剤。
【請求項７】
シリコーン泡調節剤を含有する洗剤組成物であって、該組成物が付加的にオレフィン性不飽和アルコールを含有する洗剤組成物。
【請求項８】
前記洗剤組成物が洗剤粉末配合物であり、泡調節剤が粒状体に支持されたオレフィン性不飽和アルコール及びシリコーンを含有する粒子の形態である請求項７項記載の洗剤組成物。
【発明の詳細な説明】
【０００１】
【発明の属する技術分野】
本発明は洗剤組成物用の泡調節剤、特にシリコーン消泡剤を含有する洗剤組成物に添加するための泡調節剤に関する。
【０００２】
【従来の技術】
例えば、洗濯用に使用される洗剤組成物は、洗濯中に泡の生成を促進する界面活性剤を含有している。洗剤組成物がかき混ぜられたときに生ずる泡の量は、洗濯中に見られるように、多すぎて、洗剤組成物のクリーニング効率において有害な効果を有しうる。従って、生成する泡量を調節することが望ましく、この目的のために一般に洗剤組成物に泡調節剤が添加される。
【０００３】
シリコーン消泡剤は、例えばカナダ特許第2144781号、ヨーロッパ特許第709451号及びヨーロッパ特許第798370号において公知である。ヨーロッパ特許第593841号には、シリコーンオイルと2-アルキルアルコールの混合物を含有する洗剤組成物用の泡抑制系が記載されている。ヨーロッパ特許第210721号には、粉末形態の洗剤に含有させるための微細な形態の粒状泡調節剤が記載されており、該調節剤は１重量部のシリコーン消泡剤及び１重量部以上の１２〜２０の炭素原子及び４５〜８０℃の範囲の融点を有し、水に不溶の脂肪酸又は脂肪アルコールである有機物質を含有する。ヨーロッパ特許第496510号には、シリコーン消泡剤と少なくとも３０重量％の、４５〜８０℃の範囲の融点を有する水不溶性の１２〜２０の炭素原子の脂肪酸又は脂肪アルコール、又は５０〜８５℃の範囲の融点を有するグリセロールと脂肪酸のモノエステル及び天然澱粉キャリヤー物質を含有する粉末洗剤用の粒状泡調節剤が記載されている。ヨーロッパ特許第256833号には、脂肪酸マトリックス中のポリシロキサン形態の消泡剤が記載されている。
【０００４】
米国特許第3329625号には、４０〜１００℃の融点のワックス状物質、ポリアルキレンオキシド乳化剤及びポリジメチルシロキサンの懸濁粒子を含有する、床のクリーニング装置に使用するための消泡クリーニングケーキが記載されている。
【０００５】
【発明が解決しようとする課題】
洗剤工業界においては、起泡性のより高い界面活性剤を含有する組成物を指向する傾向がある。従って、高い起泡性界面活性剤によるシリコーン消泡剤のより高い濃度の必要性を避ける洗剤組成物への使用に適する、改良された泡調節剤を提供する必要がある。
【０００６】
【課題を解決するための手段】
本発明者らは、シリコーン消泡剤と組み合せて、不飽和アルコールを使用すると、泡形成をコントロールするシリコーン消泡剤の能力が高まることを見出した。
【０００７】
本発明によれば、シリコーン消泡剤を含有する洗剤組成物に添加するための、オレフィン性不飽和アルコールを含有する泡調節剤が提供される。
【０００８】
【発明の実施の形態】
本発明において、洗剤組成物に使用されるシリコーン消泡剤は、一般に液状のオルガノポリシロキサンポリマーであり、シリコーン消泡剤への使用が提案されているもので、例えばヨーロッパ特許第578424号に記載されている。ポリマーは下記一般式（Ｉ）の構造を有する線状又は分岐状のものであることができる：
【０００９】
【化１】
0004664511.tif 000002
【００１０】
式（Ｉ）において、Ｒ”は１〜３５、好ましくは１〜８の炭素原子を有する１価の炭化水素基を示す。Ｒ”は同じでも、異なっていてもよい。Ｒ1は基Ｒ”、ヒドロキシル基又は下記一般式（ＩＩ）の基を示す：
【００１１】
【化２】
0004664511.tif 000003
【００１２】
上記式中、Ｒ2は２価の炭化水素、ヒドロカルボノキシ、シロキサン基、又は酸素を示し、Ｙは基Ｒ”又はヒドロキシル基を示し、ａ及びｂの少なくとも１つが整数であり且つａ＋ｂ＋ｃの合計がオルガノポリシロキサンポリマーの粘度が少なくとも５０mm2/s、好ましくは５００mm2/sであるような値を有するならば、ａ、ｂ及びｃは０又は整数の値である。オルガノポリシロキサンポリマーが線状である場合は、Ｒ1はＲ”又はヒドロキシル基を示す。Ｙが基Ｒ”で、ｂ＝０である線状のオルガノポリシロキサンが好ましい。
【００１３】
好ましいポリマーとしては、全てのＲ”の少なくとも６０％又は８０％が１〜４の炭素原子を有するアルキル基、最も好ましくはメチル基を示すものである。オルガノポリシロキサンは、トリメチルシロキシ末端ブロックポリジメチルシロキサン、ポリジエチルシロキサン又はメチルフェニルポリシロキサンであり、又はヨーロッパ特許第578424号に記載のような９〜３５の炭素原子を有するアルキル基を含有することができる。また、オルガノポリシロキサンは、式：Ｘ−Ｐｈ（式中、Ｘは炭素原子を介して珪素と結合している２価の脂肪族有機基を示し、Ｐｈはヨーロッパ特許出願第00306547.1号に記載のような芳香族基、例えば、スチレン又はα-メチルスチレンとＳｉ-Ｈ基との反応により形成される2-フェニルエチル又は2-フェニルプロピル基を示す）の少なくとも１つの珪素結合置換基を有するオルガノポリシロキサン物質を含有することができる。オルガノポリシロキサンの好ましい粘度は、２５℃で５００〜１００,０００mm2/s、より好ましくは１０００〜６０,０００mm2/sである。
【００１４】
液状のオルガノポリシロキサンは分岐状であるか、高粘度シロキサン（即ち、２５℃で１２,５００mm2/s以上）であることが好ましい。オルガノポリシロキサンがシロキサン鎖中で分岐している場合は、ポリマーは式（Ｉ）（その際、ｂは少なくとも１の値を有し、Ｒ2は２価のシロキサン基又は酸素原子であることが好ましい）の構造を有していることが好ましい。好ましいシロキサン基Ｒ2は、ヨーロッパ特許第31532号に記載のように、シロキサン樹脂とポリジオルガノシロキサンポリマーの反応により形成することができる。分岐シロキサン及びそれらの製造法は、多くの特許明細書、例えばヨーロッパ特許第217501号、ヨーロッパ特許第273448号及び英国特許第2257709号に記載されている。
【００１５】
シリコーン消泡剤は付加的にフィラーを含有することができる。適当なフィラーは多くの刊行物、例えば米国特許第4072621号に記載されている。フィラーは一般に微細な粒状物質であり、シリカ、ヒュームドＴｉＯ2、Ａｌ2Ｏ3、酸化亜鉛、酸化マグネシウム、珪素樹脂、例えばアルキル化珪素樹脂、脂肪族カルボン酸の塩、イソシアネートとある種の物質、例えばシクロヘキシルアミンとの反応生成物、アルキルアミド、例えばエチレン又はメチレンビスステアラミドが含まれる。
【００１６】
最も好ましいフィラーは、ＢＥＴで測定された少なくとも５０m2/gの表面積を有するシリカ粒状物である。適当なシリカ粒状物は標準的な製造技術、例えば珪素ハロゲン化物の熱分解、珪酸の金属塩、例えばナトリウムシリケートの分解及び沈降により造ることができる。シリコーン消泡剤への使用に適するシリカとしては、ヒュームドシリカ、沈降シリカ及びゲル形成シリカがある。フィラーの平均粒度は、好ましくは０．１〜２０μｍ、より好ましくは０．２５〜１０μｍ、最も好ましくは０．５〜５μｍの範囲にある。
【００１７】
フィラーの表面は疎水性にすることが好ましく、これはフィラー粒子を処理剤、例えば反応性シラン、例えばジメチルジクロロシラン、トリメチルクロロシラン、ヘキサメチルジシラザン、ヒドロキシル末端ブロック及びメチル末端ブロックポリジメチルシロキサン、シロキサン樹脂、脂肪酸、又はこれらの１以上の混合物で処理することにより行うことができる。このような化合物で既に処理されているフィラーは、多くの会社、例えばデグッサ社から商業的に入手可能である。フィラーの表面は、フィラーをオルカノポリシロキサンへ添加する前に、疎水性にすることができる。代わりに、フィラーの表面はその場で、即ちフィラーが液状オルカノポリシロキサン成分中に分散された後に、疎水性にすることができる。これは、フィラーの分散前、中、又は後に、触媒の存在下及び／又は混合物を４０℃以上の温度に加熱して、適当量の上記した種類の処理剤を液状オルカノポリシロキサンに加えることにより行うことができる。フィラーは、好ましくは消泡剤の１〜２０又は２５重量％、最も好ましくは２〜８重量％存在させる。
【００１８】
シリコーン消泡剤は付加的にシロキサン樹脂、例えば、ヨーロッパ特許第687724号及びヨーロッパ特許第687725号に記載のような、式：Ｒ3ＳｉＯ1/2（式中、Ｒは１価の炭化水素基を示す）の１価トリヒドロカーボンシロキシ(Ｍ)基及び４官能性基(Ｑ)ＳｉＯ4/2からなる樹脂を含有することができる。シロキサン樹脂は固体の樹脂であることが好ましく、不溶性フィラーとして存在させることができ、或はオルガノポリシロキサン中に完全に又は部分的に可溶であってもよい。
【００１９】
本発明の泡調節剤に使用されるオレフィン性不飽和アルコールは一般に１００℃以上の沸点を有する不飽和アルコールであることができ、一般式：Ｒ-ＯＨ（式中、Ｒは１０〜２２の炭素原子を有するアルケニル基を表わす）の１級アルコールが好ましい。オレフィン性不飽和アルコールは、容易に入手可能で安価なオレイルアルコール（9-オクタデセン-1-オール）が最も好ましい。パルミトレイルアルコール（9-ヘキサデセン-1-オール）、エイコセン-1-オール及びドデセニルアルコール（不飽和Ｃ12-14アルコール）も商業的に入手可能であり、本発明の泡調節剤への使用に適している。
【００２０】
本発明の泡調節剤に使用されるオレフィン性不飽和アルコールと、洗剤組成物に使用されるシリコーン消泡剤との割合は幾つかの因子、例えばシリコーン消泡剤の性質及び必要な泡調節剤の量に依存するであろう。オレフィン性不飽和アルコールとシリコーン消泡剤との重量割合は、一般に２５００：１〜０．０５：１、好ましくは５００：１〜０．５：１、最も好ましくは１００：１〜５：１の範囲である。
【００２１】
シリコーン消泡剤とオレフィン性不飽和アルコールの組み合せを特徴とする本発明の泡調節剤は個々の薬剤成分の泡調節性能に比べて、向上した泡調節性能を与える。従って、本発明の泡調節剤の使用は、要求レベルの泡の減少を達成させるのに必要なシリコーン消泡剤のレベルの減少を可能にすることができる。例えば、洗剤組成物の１．０重量％の量でオレイルアルコールを混入すると、泡調節の達成に必要なより高価なシリコーン消泡剤の量を５倍減少させることができる。
【００２２】
本発明の泡調節剤は、機械洗濯用に使用される洗剤粉末配合物のような種々の洗剤組成物、及び液状洗剤組成物、例えば濃縮洗剤組成物、及び水性又は非水性液状洗剤組成物に使用することができる。
【００２３】
本発明の泡調節剤は、上記成分の単なる混合物であることができ、或は種々の方法で混入することができる。泡調節剤は、例えばエマルジョンの形態で、好ましくは水中油型エマルジョンで、又は粒子状の形態で、例えば粒状支持体上にシリコーン及び不飽和アルコールを含有する粒子であることができる。
【００２４】
エマルジョンは公知の技術により造ることができ、マクロ−エマルジョン又はミクロ−エマルジョンであることができる。一般に、該エマルジョンは油相として泡調節剤を、１種以上の界面活性剤、水及び標準的な添加剤、例えば防腐剤、粘度変性剤、保護コロイド及び／又は増粘剤を含有する。界面活性剤は、アニオン性、カチオン性、ノニオン性又は両性物質から選ぶことができる。これらの１種以上の混合物も使用することができる。適当なアニオン性有機界面活性剤としては、高級脂肪酸のアルカリ金属石鹸、アルキルアリールスルホネート、例えばナトリウムドデシルベンゼンスルホネート、長鎖（脂肪）アルコールスルフェート、オレフィンスルフェート及びスルホネート、スルフェート化モノグリセリド、スルフェート化エステル、スルホネート化エトキシル化アルコール、スルホスクシネート、アルカンスルホネート、ホスフェートエステル、アルキルイセチオネート、アルキルタウレート及び／又はアルキルサルコシネートがある。適当なカチオン性有機界面活性剤としては、アルキルアミン塩、４級アンモニウム塩、スルホニウム塩、及びホスホニウム塩がある。適当なノニオン性有機界面活性剤としては、シリコーン、例えばヨーロッパ特許第638346号中に界面活性剤１〜６として記載のもの、特にシロキサンポリオキシアルキレンコポリマー、エチレンオキシドと長鎖（脂肪）アルコール又は（脂肪）酸との縮合物、例えば７モルのエチレンオキシドで縮合されたＣ14-15アルコール（ドバノール45-7（商品名））、エチレンオキシドとアミン又はアミドとの縮合物、エチレン及びプロピレンオキシドの縮合生成物、グリセロール、スクロース及びソルビトールのエステル、脂肪酸アルキロールアミド、スクロースエステル、フルオロ界面活性剤、及び脂肪アミンオキシドがある。適当な両性有機界面活性剤としては、イミダゾリン化合物、アルキルアミノ酸塩及びベタインがある。有機界面活性剤はノニオン性又はアニオン性物質がより好ましい。環境上許容されうる界面活性剤が特に興味がある。エマルジョン中の泡調節剤の濃度は、用途、要求粘度、添加剤系及び泡調節剤の有効性により変えることができ、平均で５〜８０％、好ましくは１０〜４０％の範囲である。泡調節エマルジョンは、安定剤、シリコーングリコールコポリマー、又はヨーロッパ特許第663225号に記載のような、少なくとも１つのポリオキシアルキレン基を有する架橋オルガノポリシロキサンポリマーを含有することもできる。
【００２５】
また、泡調節剤は水分散性組成物として提供することができ、その際シリコーン消泡剤は、シリコーングリコールのような水分散性キャリヤー、又は他の水混和性液体、例えばエチレングリコール、プロピレングリコール、ポリプロピレングリコール、ポリエチレングリコール、エチレン及びプロピレングリコールのコポリマー、ポリアルキレングリコールとポリオールとの縮合物、アルキルポリグリコシド、アルコールアルコキシレート又はアルキルフェノールアルコキシレート中に、又は米国特許第5908891号に記載のような鉱物油中に分散される。
【００２６】
粒状の泡調節剤は、洗剤粉末配合物への混入に特に適する自由に流動する粉末であることができる。適当な粒状支持体は適当な固体物質でよいが、洗剤組成物の成分又は成分の一部であるのが便利である。泡調節剤が適当な物理的形態を与えると共に、キャリヤーは支持された泡調節剤を嵩上げして支持された泡調節剤の粉末洗剤への分散能を促進する。使用される洗剤組成物の各単位量が十分な泡調節剤を含有し、たとえ泡調節剤が全洗剤組成物の１重量％以下のレベルで使用されたとしても、過剰の泡の形成を止めることが望ましいから、泡調節剤の粉末組成物への分布も重要である。キャリヤーは水溶性粉末であることが好ましく、洗濯サイクル中に水性液への泡調節剤の分散が促進される。それ自身がランドリー又は洗濯プロセス中に活発な役割を果たす支持粒子又は顆粒物が最も適している。このような物質の例は、ナトリウムスルフェート、ナトリウムカーボネート、ナトリウムシトレート、ナトリウムトリポリホスフェート、及びクレー鉱物である。このような物質は、例えばビルダー、汚れ停止剤、希釈剤、及び／又は軟化剤として洗剤組成物において有用である。
【００２７】
支持体は、泡調節剤が製造中に沈着される固体であることができる。また、支持体粒子は予め混合された泡調節剤と組み合せることができる。粒状の泡調節剤は、造粒、スプレードライ、乳化、ついで乾燥又は押し出し及び微粉砕により形成することができる。
【００２８】
泡調節剤の各成分は上記したように、洗剤組成物に加える前に、組み合せることが好ましいが、泡調節剤の各成分を直接洗剤組成物に加えることもできる。洗剤と泡調節剤の両成分は、洗剤又は泡調節剤の予備混合の必要なしに、洗剤組成物の製造中に一緒に混合することができる。
【００２９】
本発明の他の観点によれば、シリコーン泡調節剤を含有する洗剤組成物は、該組成物が付加的にオレフィン性不飽和アルコールを含有することを特徴としている。
【００３０】
洗剤組成物は一般に少なくとも１種のアニオン、カチオン、ノニオン又は両性タイプの界面活性剤、又はそれらの混合物、少なくとも１種の有機及び／又は無機ビルダー塩、及び場合により他の添加剤及び希釈剤を含有する。
【００３１】
適当なアニオン性界面活性剤としては、高級脂肪酸のアルカリ金属石鹸、アルキルアリールスルホネート、例えばナトリウムドデシルベンゼンスルホネート、長鎖（脂肪）アルコールスルフェート、オレフィンスルフェート及びスルホネート、スルフェート化モノグリセリド、スルフェート化エステル、スルホネート化エトキシル化アルコール、スルホスクシネート、アルカンスルホネート、ホスフェートエステル、アルキルイセチオネート、スクロースエステル及びフルオロ界面活性剤がある。
【００３２】
適当なカチオン性有機界面活性剤としては、アルキルアミン塩、４級アンモニウム塩、スルホニウム塩、及びホスホニウム塩がある。
【００３３】
適当なノニオン性有機界面活性剤としては、エチレンオキシドと長鎖（脂肪）アルコール又は（脂肪）酸との縮合物、例えば７モルのエチレンオキシドで縮合されたＣ14-15アルコール（ドバノール45-7（商品名））、エチレンオキシドとアミン又はアミドとの縮合物、エチレン及びプロピレンオキシドの縮合生成物、脂肪酸アルキロールアミド、及び脂肪アミンオキシドがある。適当な両性有機界面活性剤としては、イミダゾリン化合物、アルキルアミノ酸塩及びベタインがある。
【００３４】
有機界面活性剤はノニオン性又はアニオン性物質、例えばアルキルスルフェート、アルキルアリールスルホネート、アルキルスルホネート、１級アルキルエトキシレート、及びアルキルポリグルコシド、又はそれらの誘導体がより好ましい。
【００３５】
洗剤組成物への使用に適するビルダーの例は、ホスフェート、ポリホスフェート、ピロホスフェート、オルソホスフェート、ホスホネート、カルボキシレート、ポリカルボキシレート、スクシネート、シリケート、カーボネート、及びスルフェートである。本発明の洗剤組成物に含有させることのできる他の成分としては、酸素放出化合物、例えばパーボレート、パースルフェート、パーシリケート、パーホスフェート、パーカーボネート、及び他の漂白剤、及びアルミノ−シリケート、例えばゼオライトがある。有機成分の例は、抗再沈着剤、例えばカルボキシメチルセルロース、増白剤、キレート剤、例えばエチレンジアミンテトラ酢酸及びニトリロトリ酢酸、酵素及び静菌剤である。他の任意の成分としては、ランドリー及びクリーニング組成物中に通常見出される物質、例えば着色剤、染料、香料、腐蝕抑制剤、汚れ停止剤、抗ケーキング剤、軟化剤、クレー、封入可能な幾つかのものがある。
【００３６】
本発明の洗剤組成物に使用される泡調節剤の量は、泡調節剤の必要量、洗剤のタイプ及び洗剤組成物の最終用途のような要因に基づくであろう。本発明の洗剤組成物は、上記した不飽和アルコールとシリコーン消泡剤の割合で、好ましくは０．００５重量％〜２重量％、より好ましくは０．０１重量％〜０．５重量％、最も好ましくは０．０２重量％〜０．２重量％のシリコーン消泡剤物質を含有する。
【００３７】
【実施例】
本発明の説明のために、下記の例が提供される。全ての部及びパーセントは、特記しないかぎり、重量である。
【００３８】
ヨーロッパ特許第217501号に記載の１１．５％の分岐液状シロキサン消泡剤、及び１７％のエトキシル化脂肪アルコールベースのバインダーと混合され且つ７１．５％の澱粉上にスプレーされた”TS720”疎水性シリカ(液状シロキサン当たり５％)を含有する封入された泡調節剤を製造した。
【００３９】
０．３５ｇの封入された泡調節剤を、”Miele W934”(商品名)前面装填洗濯機内の１４リットル水中で１６本のタオル(３．２ｋｇ負荷)を洗濯するために使用される７８．５ｇの洗剤粉末に加えた。洗濯テストは４０℃及び９５℃で行った。泡の高さは各洗濯テストを通して５分ごとに且つ各３回のすすぎサイクル中に、測定した。０は泡なし；５０は窓の半分の泡；１００は窓全部の泡；１２０は洗濯機から溢れることを意味する。
【００４０】
比較例Ｃ１では、１．７５ｇの封入された泡調節剤をオレイルアルコールなしの洗剤に加え、同様のテストを行った。
【００４１】
他の比較テストは、実施例１（０．３５ｇの封入消泡剤＋１．０ｇのオレイルアルコール；表１中に１Ａとして示す）、比較例Ｃ１（１．７５ｇの封入消泡剤；表１中にＣ１Ａとして示す）、及び実施例１のオレイルアルコールを1-ヘキサドデカノール（Ｃ２）又はオクタデカノール（Ｃ３）で置き換えた比較例の泡調節剤を用いて異なるデータで行った。これらのテストでは、４５℃においては９５℃におけるよりも短い洗濯サイクルを使用した。上記全てのテストの結果を表１に示す。
【００４２】
【表１】
0004664511.tif 000004
【００４３】
洗剤粉末当たり１又は２％のレベルでオレイルアルコールを使用すると、類似の又は改良された泡調節のレベルを維持しながら、シロキサン泡調節剤の量が８０％まで減少することが、表１からわかる。特に、すすぎサイクルで改良された泡調節を示す。ヘキサドデカノール又はオクタデカノールのような飽和アルコールはこの効果を示さない。
【００４４】
実施例２〜４
シロキサン消泡剤中の疎水性シリカの割合、及び以下に示すようにオレイルアルコールの量を変えた以外は、実施例１の手順を繰り返した。
0004664511.tif 000005
【００４５】
実施例２〜４の消泡剤を、実施例１に記載のような洗濯テストで試験した。結果を表２に示す。
【００４６】
【表２】
0004664511.tif 000006
【００４７】
実施例５
９２％のメチルエチルメチル 2-フェニルプロピルシロキサン流体（英国特許出願第9919096.9号の実施例１に記載）をＭ/Ｑ比０．６５：１の珪素樹脂４％、及び疎水性シリカ４％とブレンドしてシロキサン泡調節剤を製造した。このシロキサン泡調節剤１２．３％を１７％のバインダー及び７０．７％のゼオライトと混合して、封入された泡調節剤を製造した。
【００４８】
０．６７ｇの封入された泡調節剤及び１．００ｇのオレイルアルコールを８３．５ｇの洗剤粉末に加え、４０℃で上記のように洗濯テストを行った。比較例Ｃ５は、０．６７ｇの封入された泡調節剤だけで行った。
【００４９】
実施例６〜７
実施例５の封入された泡調節剤０．３５ｇ、及びオレイルアルコール（実施例６）２．０ｇ又はオレイルアルコール（実施例７）１．０ｇを洗剤組成物に加えた。比較実験Ｃ５Ａは実施例５の封入された泡調節剤０．６９ｇだけで行った。
オレイルアルコールを1-ヘキサドデカノール（Ｃ６）又はオクタデカノール（Ｃ７）で置き換え、実施例６の配合を用いて、さらに比較実験を行った。洗濯テストの結果を表３に示す。
【００５０】
【表３】
0004664511.tif 000007
【００５１】
洗剤粉末当たり１又は２％のレベルでオレイルアルコールを使用すると、類似の又は改良された泡調節のレベルを維持しながら、実施例５に記載のシロキサン泡調節剤の量が半減することが、表３からわかる。